(57)【要約】【課題】通信相手等に依らず、簡単にかつ迅速に、しかも、適切な表現で、電子メールの本文を作成し、文例の記憶のための記憶容量を低減する。【解決手段】携帯端末２ａ（２ｂ，２ｃ，…）の制御部は、文例種別情報（フォーマル用文例／プライベート用文例）を、文例種別情報記憶領域に記憶させ、時計部から、時間情報を取得し、文例種別情報記憶領域から文例種別選択情報を読み出し、時間情報及び文例種別選択情報に基づいて、文例情報記憶領域に記憶された所定の文例を、表示部に表示させ、選択された文例を含む作成中の電子メールの本文の一部として確定する。【選択図】図１
2008123381.tif 000002
【特許請求の範囲】
【請求項１】
電子メールを作成する機能を備えた携帯通信端末であって、
時候又は／及び時間帯をあらわす通信用あいさつ文が公的あいさつ文であるか、私的あいさつ文であるか、どの時期に用いられるかの識別情報を付されて格納されている文例格納部と、
操作者が、希望する前記通信用あいさつ文が、公的あいさつ文であるか、私的あいさつ文であるか、どの時期又は／及び時間帯に用いるつもりであるかを指定する指定手段と、
該指定手段による前記各指定に基づいて、前記文例格納部から、該当する前記通信用あいさつ文を読み出して表示手段に表示する文例抽出手段とを備えてなる
ことを特徴とする携帯通信端末。
【請求項２】
電子メールを作成する機能を備えた携帯通信端末であって、
時候又は／及び時間帯をあらわす通信用あいさつ文が公的あいさつ文であるか、私的あいさつ文であるか、どの時期に用いられるかの識別情報を付されて格納されている文例格納部と、
操作者が、希望する前記通信用あいさつ文が、公的あいさつ文であるか、私的あいさつ文であるかを指定する指定手段と、
該指定手段による前記指定があると、メール送信時期又は／及び時間帯を予測するメール送信時期予測手段と、
前記指定手段による前記指定と前記メール送信時期予測手段によって予測されたメール送信時期又は／及び時間帯とに基づいて、前記文例格納部から、該当する前記通信用あいさつ文を読み出して表示手段に表示する文例抽出手段とを備えてなる
ことを特徴とする携帯通信端末。
【請求項３】
前記メール送信時期予測手段は、前記指定手段による前記指定があると、前記メール送信時期又は／及び時間帯を、「今の時期又は／及び時間帯」であると判断することを特徴とする請求項２記載の携帯通信端末。
【請求項４】
前記文例格納部には、前記通信用あいさつ文がどのような天候で用いられるかを示す天候情報を含む前記識別情報を付されて格納されていることを特徴とする請求項１、２又は３記載の携帯通信端末。
【請求項５】
天候情報を取得する天候情報取得手段を備えてなり、前記文例抽出手段は、前記天候情報に基づいて、前記文例格納部から、該当する前記通信用あいさつ文を読み出して前記表示手段に表示することを特徴とする請求項１乃至４のいずれか１に記載の携帯通信端末。
【請求項６】
入力された文字から複数の変換候補を所定の順に提示する予測変換手段を備え、該予測変換手段は、予め設定された優先時間情報と、前記メール送信時期又は／及び時間帯とに基づいて、前記変換候補の提示順を変更することを特徴とする請求項１乃至５のいずれか１に記載の携帯通信端末。
【請求項７】
電子メールを作成する機能を備えた携帯通信端末に、ネットワークを介して接続され、前記携帯通信端末へ、前記電子メールの作成の際に用いられる文例を提供する文書情報提供サーバであって、
時候又は／及び時間帯をあらわす通信用あいさつ文が公的あいさつ文であるか、私的あいさつ文であるか、どの時期に用いられるかの識別情報を付されて格納されている文例格納部と、
前記携帯通信端末から、希望する前記通信用あいさつ文が、公的あいさつ文であるか、私的あいさつ文であるか、どの時期又は／及び時間帯に用いるつもりであるかが指定された指定情報を受信すると、該指定情報に基づいて、前記文例格納部から、該当する前記通信用あいさつ文を読み出して、前記携帯通信端末へ送信する文例抽出手段とを備えてなる
ことを特徴とする文書情報提供サーバ。
【請求項８】
電子メールを作成する機能を備えた携帯通信端末に、ネットワークを介して接続され、前記携帯通信端末へ、前記電子メールの作成の際に用いられる文例を提供する文書情報提供サーバであって、
時候又は／及び時間帯をあらわす通信用あいさつ文が公的あいさつ文であるか、私的あいさつ文であるか、どの時期に用いられるかの識別情報を付されて格納されている文例格納部と、
前記携帯通信端末から、希望する前記通信用あいさつ文が、公的あいさつ文であるか、私的あいさつ文であるかが指定された指定情報を受信すると、メール送信時期又は／及び時間帯を予測するメール送信時期予測手段と、
前記指定情報と前記メール送信時期予測手段によって予測されたメール送信時期又は／及び時間帯とに基づいて、前記文例格納部から、該当する前記通信用あいさつ文を読み出して表示手段に表示する文例抽出手段とを備えてなる
ことを特徴とする文書情報提供サーバ。
【請求項９】
電子メールを作成する機能を備えた携帯通信端末が、ネットワークに、複数接続され、前記電子メールの送受信を行うための電子メールシステムであって、
少なくとも１つの前記携帯通信端末は、請求項１乃至６のいずれか１に記載の携帯通信端末からなることを特徴とする電子メールシステム。
【請求項１０】
ネットワークを介して、電子メールを作成する機能を備えた携帯通信端末と、前記携帯通信端末へ、前記電子メールの作成の際に用いられる文例を提供する文書情報提供サーバとが接続された電子メールシステムであって、
前記文書情報提供サーバは、請求項７又は８記載の文書情報提供サーバからなることを特徴とする電子メールシステム。
【請求項１１】
電子メールを作成する電子メール作成方法であって、
時候又は／及び時間帯をあらわす通信用あいさつ文が、公的あいさつ文であるか、私的あいさつ文であるか、どの時期に用いられるかの識別情報を付されて文例格納部に格納され、
操作者が希望する前記通信用あいさつ文が、公的あいさつ文であるか、私的あいさつ文であるか、どの時期又は／及び時間帯に用いるつもりであるかが指定される指定ステップと、
該指定ステップでの前記各指定に基づいて、前記文例格納部から、該当する前記通信用あいさつ文を読み出して表示手段に表示する文例抽出ステップとを備えた
ことを特徴とする電子メール作成方法。
【請求項１２】
電子メールを作成する電子メール作成方法であって、
時候又は／及び時間帯をあらわす通信用あいさつ文が、公的あいさつ文であるか、私的あいさつ文であるか、どの時期に用いられるかの識別情報を付されて文例格納部に格納され、
操作者が希望する前記通信用あいさつ文が、公的あいさつ文であるか、私的あいさつ文であるかが指定される指定ステップと、
該指定ステップでの前記指定があると、メール送信時期又は／及び時間帯を予測するメール送信時期予測ステップと、
前記指定ステップでの前記指定と前記メール送信時期予測ステップで予測されたメール送信時期又は／及び時間帯とに基づいて、前記文例格納部から、該当する前記通信用あいさつ文を読み出して表示手段に表示する文例抽出ステップとを備えた
ことを特徴とする電子メール作成方法。
【請求項１３】
電子メールを作成する方法をコンピュータに実行させるための制御プログラムであって、
操作者が希望し、時候又は／及び時間帯をあらわす通信用あいさつ文が、公的あいさつ文であるか、私的あいさつ文であるか、どの時期又は／及び時間帯に用いるつもりであるかが指定される指定ステップと、
該指定ステップでの前記各指定に基づいて、前記通信用あいさつ文が、公的あいさつ文であるか、私的あいさつ文であるか、どの時期に用いられるかの識別情報を付されて格納されている文例格納部から、該当する前記通信用あいさつ文を読み出して表示手段に表示する文例抽出ステップとをコンピュータ実行させる
ことを特徴とする制御プログラム。
【請求項１４】
電子メールを作成する方法をコンピュータに実行させるための制御プログラムであって、
操作者が希望し、時候又は／及び時間帯をあらわす通信用あいさつ文が、公的あいさつ文であるか、私的あいさつ文であるかが指定される指定ステップと、
該指定ステップでの前記指定があると、メール送信時期又は／及び時間帯を予測するメール送信時期予測ステップと、
前記指定ステップでの前記指定と前記メール送信時期予測ステップで予測されたメール送信時期又は／及び時間帯とに基づいて、前記通信用あいさつ文が、公的あいさつ文であるか、私的あいさつ文であるか、どの時期に用いられるかの識別情報を付されて格納されている文例格納部から、該当する前記通信用あいさつ文を読み出して表示手段に表示する文例抽出ステップとをコンピュータ実行させる
ことを特徴とする制御プログラム。
【発明の詳細な説明】
【技術分野】
【０００１】
この発明は、携帯通信端末、文書情報提供サーバ、電子メールシステム、電子メール作成方法及び制御プログラムに係り、例えば、予め用意された文例から所望の文例を選択して電子メールの本文に挿入可能な携帯電話機等の携帯通信端末、携帯電話機等に文例を提供する文書情報提供サーバ、電子メールシステム、電子メール作成方法及び制御プログラムに関する。
【背景技術】
【０００２】
電子メールは、既存の通信手段としての郵便や電話等に比べて、速報性及び同報性を同時に満たし、ファクシミリ等に比べて、例えば携帯電話機等の携帯端末を用いた場合には、移動中でも通信が可能であるなど、高い利便性や手軽さも有しているため、広く普及してきている。
【０００３】
従来より、電子メールの本文の文章を考えたり、入力するための手間を省くために、記憶部に複数の文例を記憶した携帯端末が提案されている（例えば、特許文献１等参照。）。
ユーザは、例えば、表示された候補から所望の文例を選択して、本文中に挿入すれば良い。
これによって、特に手紙のように改まった文章を作成する必要がある場合に、例えば、冒頭の時候を含む挨拶文等について、自身で推敲したり、辞書を引いて調べるようなユーザの手間が低減される。
【０００４】
また、携帯端末から、ネットワークを介して、文例を蓄積した文書情報提供サーバ（文例サイト）にアクセスし、所望の文例を検索して、電子メール作成の支援を行ったり、携帯端末からの要求により、文書情報提供サーバが電子メールの本文の一部を作成して携帯端末へ送信する技術も提案されている（例えば、特許文献２、特許文献３等参照。）。
例えば、所望の文例が検索されると、ユーザによるコピー及び貼付けの操作によって、本文入力画面において、電子メールの本文に上記文例が挿入され、電子メール作成の支援が行われる。
【０００５】
さらに、電子メール作成時の時季等に合わせて文例候補を提示したり、相応しいと考えられる文例を電子メールの本文中に自動的に挿入して、ユーザが文例を選択する手間を低減して、電子メールを作成する時間を迅速化しようとする技術も提案されている（例えば、特許文献４、特許文献５、特許文献６、特許文献７、特許文献８、特許文献９等参照。）。
【０００６】
しかしながら、例えば、前文として所定の挨拶文を選択した場合に、内容は同様であっても、通信相手に応じて、適切な表現に書き換えなければならないことがある。このため、ユーザの負担が大幅に軽減されることがなかった。
このため、送信先に応じて、予め文例を設定しておいて、所定のアドレスが選択されると、対応する文例を挨拶文して電子メールの本文に挿入して、上記通信先に送信する技術が提案されている（例えば、特許文献１０参照。）。
【特許文献１】特開２００２−２４４７９３号公報
【特許文献２】特開２００３−２３３５６６号公報
【特許文献３】特開２００４−０４６６９４号公報
【特許文献４】特開２００１−２８２７８３号公報
【特許文献５】特開２００２−００７３９４号公報
【特許文献６】特開２００２−３５１８６２号公報
【特許文献７】特開２００４−２８７７５６号公報
【特許文献８】特開２００５−１０７６４０号公報
【特許文献９】特開昭５９−０３３５３６号公報
【特許文献１０】特開２００１−３２５１８８号公報
【発明の開示】
【発明が解決しようとする課題】
【０００７】
解決しようとする問題点は、上記従来技術でも、ユーザの負担が十分軽減されず、かつ、文例の記憶のために比較的大きな記憶容量を必要とするという点である。
すなわち、送信先に対応付けた文例の設定の際には、ユーザが、通信先に応じて文例を作成しなければならない。また、新規の送信先には対応できないので、この場合には、逆に手間と時間がかかる。また、送信先毎に文例を設定するので、比較的大きな記憶容量を必要とする。
【０００８】
この発明は、上述の事情に鑑みてなされたもので、通信相手等に依らず、簡単にかつ迅速に、しかも、適切な表現で、電子メールの本文を作成することができると共に、例えば、文例の記憶のための記憶容量を低減することができる携帯通信端末、文書情報提供サーバ、電子メールシステム、電子メール作成方法及び制御プログラムを提供することを目的としている。
【課題を解決するための手段】
【０００９】
上記課題を解決するために、請求項１記載の発明は、電子メールを作成する機能を備えた携帯通信端末に係り、時候又は／及び時間帯をあらわす通信用あいさつ文が公的あいさつ文であるか、私的あいさつ文であるか、どの時期に用いられるかの識別情報を付されて格納されている文例格納部と、操作者が、希望する上記通信用あいさつ文が、公的あいさつ文であるか、私的あいさつ文であるか、どの時期又は／及び時間帯に用いるつもりであるかを指定する指定手段と、該指定手段による上記各指定に基づいて、上記文例格納部から、該当する上記通信用あいさつ文を読み出して表示手段に表示する文例抽出手段とを備えてなることを特徴としている。
【００１０】
また、請求項２記載の発明は、電子メールを作成する機能を備えた携帯通信端末に係り、時候又は／及び時間帯をあらわす通信用あいさつ文が公的あいさつ文であるか、私的あいさつ文であるか、どの時期に用いられるかの識別情報を付されて格納されている文例格納部と、操作者が、希望する上記通信用あいさつ文が、公的あいさつ文であるか、私的あいさつ文であるかを指定する指定手段と、該指定手段による上記指定があると、メール送信時期又は／及び時間帯を予測するメール送信時期予測手段と、上記指定手段による上記指定と上記メール送信時期予測手段によって予測されたメール送信時期又は／及び時間帯とに基づいて、上記文例格納部から、該当する上記通信用あいさつ文を読み出して表示手段に表示する文例抽出手段とを備えてなることを特徴としている。
【００１１】
また、請求項３記載の発明は、請求項２記載の携帯通信端末に係り、上記メール送信時期予測手段は、上記指定手段による上記指定があると、上記メール送信時期又は／及び時間帯を、「今の時期又は／及び時間帯」であると判断することを特徴としている。
【００１２】
また、請求項４記載の発明は、請求項１、２又は３記載の携帯通信端末に係り、上記文例格納部には、上記通信用あいさつ文がどのような天候で用いられるかを示す天候情報を含む上記識別情報を付されて格納されていることを特徴としている。
【００１３】
また、請求項５記載の発明は、請求項１乃至４のいずれか１に記載の携帯通信端末に係り、天候情報を取得する天候情報取得手段を備えてなり、上記文例抽出手段は、上記天候情報に基づいて、上記文例格納部から、該当する上記通信用あいさつ文を読み出して上記表示手段に表示することを特徴としている。
【００１４】
また、請求項６記載の発明は、請求項１乃至５のいずれか１に記載の携帯通信端末に係り、入力された文字から複数の変換候補を所定の順に提示する予測変換手段を備え、該予測変換手段は、予め設定された優先時間情報と、上記メール送信時期又は／及び時間帯とに基づいて、上記変換候補の提示順を変更することを特徴としている。
【００１５】
また、請求項７記載の発明は、電子メールを作成する機能を備えた携帯通信端末に、ネットワークを介して接続され、上記携帯通信端末へ、上記電子メールの作成の際に用いられる文例を提供する文書情報提供サーバに係り、時候又は／及び時間帯をあらわす通信用あいさつ文が公的あいさつ文であるか、私的あいさつ文であるか、どの時期に用いられるかの識別情報を付されて格納されている文例格納部と、上記携帯通信端末から、希望する上記通信用あいさつ文が、公的あいさつ文であるか、私的あいさつ文であるか、どの時期又は／及び時間帯に用いるつもりであるかが指定された指定情報を受信すると、該指定情報に基づいて、上記文例格納部から、該当する上記通信用あいさつ文を読み出して、上記携帯通信端末へ送信する文例抽出手段とを備えてなることを特徴としている。
【００１６】
また、請求項８記載の発明は、電子メールを作成する機能を備えた携帯通信端末に、ネットワークを介して接続され、上記携帯通信端末へ、上記電子メールの作成の際に用いられる文例を提供する文書情報提供サーバに係り、時候又は／及び時間帯をあらわす通信用あいさつ文が公的あいさつ文であるか、私的あいさつ文であるか、どの時期に用いられるかの識別情報を付されて格納されている文例格納部と、上記携帯通信端末から、希望する上記通信用あいさつ文が、公的あいさつ文であるか、私的あいさつ文であるかが指定された指定情報を受信すると、メール送信時期又は／及び時間帯を予測するメール送信時期予測手段と、上記指定情報と上記メール送信時期予測手段によって予測されたメール送信時期又は／及び時間帯とに基づいて、上記文例格納部から、該当する上記通信用あいさつ文を読み出して表示手段に表示する文例抽出手段とを備えてなることを特徴としている。
【００１７】
また、請求項９記載の発明は、電子メールを作成する機能を備えた携帯通信端末が、ネットワークに、複数接続され、上記電子メールの送受信を行うための電子メールシステムに係り、少なくとも１つの上記携帯通信端末は、請求項１乃至６のいずれか１に記載の携帯通信端末からなることを特徴としている。
【００１８】
また、請求項１０記載の発明は、ネットワークを介して、電子メールを作成する機能を備えた携帯通信端末と、上記携帯通信端末へ、上記電子メールの作成の際に用いられる文例を提供する文書情報提供サーバとが接続された電子メールシステムに係り、上記文書情報提供サーバは、請求項７又は８記載の文書情報提供サーバからなることを特徴としている。
【００１９】
また、請求項１１記載の発明は、電子メールを作成する電子メール作成方法に係り、時候又は／及び時間帯をあらわす通信用あいさつ文が、公的あいさつ文であるか、私的あいさつ文であるか、どの時期に用いられるかの識別情報を付されて文例格納部に格納され、操作者が希望する上記通信用あいさつ文が、公的あいさつ文であるか、私的あいさつ文であるか、どの時期又は／及び時間帯に用いるつもりであるかが指定される指定ステップと、該指定ステップでの上記各指定に基づいて、上記文例格納部から、該当する上記通信用あいさつ文を読み出して表示手段に表示する文例抽出ステップとを備えたことを特徴としている。
【００２０】
また、請求項１２記載の発明は、電子メールを作成する電子メール作成方法に係り、時候又は／及び時間帯をあらわす通信用あいさつ文が、公的あいさつ文であるか、私的あいさつ文であるか、どの時期に用いられるかの識別情報を付されて文例格納部に格納され、操作者が希望する上記通信用あいさつ文が、公的あいさつ文であるか、私的あいさつ文であるかが指定される指定ステップと、該指定ステップでの上記指定があると、メール送信時期又は／及び時間帯を予測するメール送信時期予測ステップと、上記指定ステップでの上記指定と上記メール送信時期予測ステップで予測されたメール送信時期又は／及び時間帯とに基づいて、上記文例格納部から、該当する上記通信用あいさつ文を読み出して表示手段に表示する文例抽出ステップとを備えたことを特徴としている。
【００２１】
また、請求項１３記載の発明は、電子メールを作成する方法をコンピュータに実行させるための制御プログラムに係り、操作者が希望し、時候又は／及び時間帯をあらわす通信用あいさつ文が、公的あいさつ文であるか、私的あいさつ文であるか、どの時期又は／及び時間帯に用いるつもりであるかが指定される指定ステップと、該指定ステップでの上記各指定に基づいて、上記通信用あいさつ文が、公的あいさつ文であるか、私的あいさつ文であるか、どの時期に用いられるかの識別情報を付されて格納されている文例格納部から、該当する上記通信用あいさつ文を読み出して表示手段に表示する文例抽出ステップとをコンピュータ実行させることを特徴としている。
【００２２】
また、請求項１４記載の発明は、電子メールを作成する方法をコンピュータに実行させるための制御プログラムに係り、操作者が希望し、時候又は／及び時間帯をあらわす通信用あいさつ文が、公的あいさつ文であるか、私的あいさつ文であるかが指定される指定ステップと、該指定ステップでの上記指定があると、メール送信時期又は／及び時間帯を予測するメール送信時期予測ステップと、上記指定ステップでの上記指定と上記メール送信時期予測ステップで予測されたメール送信時期又は／及び時間帯とに基づいて、上記通信用あいさつ文が、公的あいさつ文であるか、私的あいさつ文であるか、どの時期に用いられるかの識別情報を付されて格納されている文例格納部から、該当する上記通信用あいさつ文を読み出して表示手段に表示する文例抽出ステップとをコンピュータ実行させることを特徴としている。
【発明の効果】
【００２３】
この発明の構成によれば、文例格納部に、時候又は／及び時間帯をあらわす通信用あいさつ文が、公的あいさつ文であるか、私的あいさつ文であるか、どの時期に用いられるかの識別情報を付されて格納され、指定手段によって、操作者が、希望する通信用あいさつ文が、公的あいさつ文であるか、私的あいさつ文であるか、どの時期又は／及び時間帯に用いるつもりであるかを指定し、文例抽出手段が、指定手段による各指定に基づいて、文例格納部から、該当する通信用あいさつ文を読み出して表示手段に表示するので、通信相手等に依らず、簡単にかつ迅速に、しかも、適切な表現で、電子メールの本文を作成することができると共に、通信用あいさつ文の記憶のための記憶容量を低減することができる。
【発明を実施するための最良の形態】
【００２４】
文例格納部に、時候又は／及び時間帯をあらわす通信用あいさつ文が、公的あいさつ文であるか、私的あいさつ文であるか、どの時期に用いられるかの識別情報を付されて格納され、指定手段によって、操作者が、希望する通信用あいさつ文が、公的あいさつ文であるか、私的あいさつ文であるか、どの時期又は／及び時間帯に用いるつもりであるかを指定し、文例抽出手段が、指定手段による各指定に基づいて、文例格納部から、該当する通信用あいさつ文を読み出して表示手段に表示することによって、通信相手等に依らず、簡単にかつ迅速に、しかも、適切な表現で、電子メールの本文を作成し、見本文の記憶のための記憶容量を低減するという目的を実現した。
【実施例１】
【００２５】
図１は、この発明の第１の実施例である電子メールシステムの構成を示す図、図２は、同電子メールシステムの携帯端末の構成を示すブロック図、図３は、同携帯端末の記憶部の構成を示すブロック図、図４は、同記憶部の文例情報記憶領域の記憶内容を説明するための説明図、図５は、同電子メールシステムの通信管理センタの構成を示すブロック図、図６は、同通信管理センタの情報管理サーバ、メールサーバ及び接続処理サーバの構成を示すブロック図、図７は、同携帯端末の動作を説明するためのフローチャート、また、図８及び図９は、同携帯端末の動作を説明するための説明図である。
【００２６】
この例の電子メールシステム１は、図１に示すように、ユーザＡ，Ｂ，…が用いる携帯電話機等の携帯端末２ａ，２ｂ，…と、携帯端末２ａ，２ｂ，…が接続可能なネットワーク３を構成する移動通信網４とを備えてなり、移動通信網４は、移動通信事業者Ｘが管理する通信管理センタ５を介して、インターネット６に接続可能とされている。
例えば、携帯端末２ａから送信されたユーザＢ（Ｃ，Ｄ，…）宛ての電子メールは、通信管理センタ５を経由し、最寄の基地局を介して携帯端末２ｂ（２ｃ，２ｄ，…）に供給される。
【００２７】
携帯端末２ａ（２ｂ，２ｃ，…）は、通話機能のほか、例えば電子メールの送受信やインターネットに接続してホームページの閲覧が可能なデータ通信機能を有し、図２に示すように、当該携帯端末本体の構成各部を制御する制御部１１ａ（１１ｂ，１１ｃ，…）と、制御部１１ａ（１１ｂ，１１ｃ，…）が実行する処理プログラムや各種データ等を記憶するための記憶部１２ａ（１２ｂ，１２ｃ，…）と、アンテナ１３ａ（１３ｂ，１３ｃ，…）を介して無線電波の送受信を行い、所定のプロトコルに従って通話やデータ通信を行うために用いられる無線通信部１４ａ（１４ｂ，１４ｃ，…）と、例えば、受信した電子メールや、メール作成画面、ホームページの内容、待受画面、機能設定画面等が表示される表示部１５ａ（１５ｂ，１５ｃ，…）と、項目の選択や、数字及び文字の入力操作等を行うための多数の各種操作キー等からなる操作部１６ａ（１６ｂ，１６ｃ，…）と、送話音声を入力するマイクロフォンからなる送話部１７ａ（１７ｂ，１７ｃ，…）と、受話音声を出力するスピーカからなる受話部１８ａ（１８ｂ，１８ｃ，…）と、現在の年月日及び時刻を含む時間情報を生成（計時）する時計部１９ａ（１９ｂ，１９ｃ，…）とから概略構成されている。なお、この例では、表示部１５ａ（１５ｂ，１５ｃ，…）は、表示機能と共に、操作機能の一部も兼ね備えている。
【００２８】
制御部１１ａ（１１ｂ，１１ｃ，…）は、ＣＰＵ（中央処理装置）等を有してなり、記憶部１２ａ（１２ｂ，１２ｃ，…）に記憶された制御プログラムに従って、電子メール作成処理等を実行する。
制御部１１ａ（１１ｂ，１１ｃ，…）は、電子メール作成処理では、文例種別設定処理と、時間情報取得処理と、文例種別選択情報取得処理と、文例抽出処理と、確定処理とを実行する。
【００２９】
制御部１１ａ（１１ｂ，１１ｃ，…）は、文例種別設定処理では、ユーザによって、操作部１６ａ（１６ｂ，１６ｃ，…）を介して選択されたフォーマル用文例（公的あいさつ文）か、又はプライベート用文例（私的あいさつ文）かの文例種別情報を、文例種別情報記憶領域２８ａ（２８ｂ，２８ｃ，…）に記憶させる。
制御部１１ａ（１１ｂ，１１ｃ，…）は、時間情報取得処理では、時計部１９ａ（１９ｂ，１９ｃ，…）から、現在の時期（年月日）や時刻（時分秒）を含む時間情報を取得する。
【００３０】
制御部１１ａ（１１ｂ，１１ｃ，…）は、文例種別選択情報取得処理では、文例種別情報記憶領域２８ａ（２８ｂ，２８ｃ，…）から文例種別選択情報を読み出して取得する。
制御部１１ａ（１１ｂ，１１ｃ，…）は、文例抽出処理では、時間情報及び文例種別選択情報に基づいて、又は時間情報、文例種別選択情報、及び操作部１６ａ（１６ｂ，１６ｃ，…）によって入力された操作情報に基づいて、文例情報記憶領域２６（２６ｂ，２６ｃ，…）に記憶された複数の文例から、所定の文例を抽出して、表示部１５ａ（１５ｂ，１５ｃ，…）に表示させる。
制御部１１ａ（１１ｂ，１１ｃ，…）は、確定処理では、選択された文例を含む作成中の電子メールの本文の一部として確定する。
【００３１】
記憶部１２ａ（１２ｂ，１２ｃ，…）は、ＲＯＭ、ＲＡＭ等の半導体メモリ等からなり、図３に示すように、制御部１１ａ（１１ｂ，１１ｃ，…）が実行するメーラ（メール作成ソフトを含む）やブラウザ等の各種制御プログラム等が記憶されたプログラム記憶部２１ａ（２１ｂ，２１ｃ，…）と、文例情報や、受信及び送信した電子メールに関する情報、設定情報等の各種情報が記憶された情報記憶部２２ａ（２２ｂ，２２ｃ，…）とを有してなっている。
【００３２】
この例では、プログラム記憶部２１ａ（２１ｂ，２１ｃ，…）に記憶され、電子メールの作成及び送受信のために用いられるプログラムとしてのメーラは、文例種別設定処理プログラムと、時間情報取得処理プログラムと、文例種別選択情報取得処理プログラムと、文例抽出処理プログラムと、確定処理プログラムとを含み、文例種別情報記憶領域２８ａ（２８ｂ，２８ｃ，…）に記憶された文例を、時期や天候等に応じて提示し利用するために用いられる。
【００３３】
情報記憶部２２ａ（２２ｂ，２２ｃ，…）は、受信済みの電子メールを記憶する受信済フォルダ領域２４ａ（２４ｂ，２４ｃ，…）と、送信済みの電子メールを記憶する送信済フォルダ領域２５ａ（２５ｂ，２５ｃ，…）と、文例情報を記憶する文例情報記憶領域２６（２６ｂ，２６ｃ，…）と、各種設定情報を記憶する設定情報記憶領域２７ａ（２７ｂ，２７ｃ，…）とを有している。
【００３４】
文例情報記憶領域２６ａ（２６ｂ，２６ｃ，…）には、図４に示すように、多数の文例が、大分類として文例種別毎に記憶されていると共に、各文例は、中分類として時期（指定なしを含む）に対応付けて記憶され、小分類として天候（季語なしを含む）に対応付けて記憶されている。
この例では、文例種別としては、企業等の公的な通信相手に送信するための「フォーマル用文例」と、友人等個人的な通信相手に送信するための「プライベート用文例」とに分類される。
【００３５】
また、時期としては、時期を問わず標準的に用いられる「指定なし」、「１月」、「２月」、…、及び「１２月」に分類される。また、天候としては、天候を問わず標準的に用いられる「季語なし」、「真夏日」、「平均的天候」、「冷夏」、…等に分類される。
文例は、天候として、気温や湿度等の気象情報に基づいて分類される。天候としては、対応する時期で考えられる典型的な天候が、例えば、暑い順や寒い順等に、複数指定される。時期が「７月」の場合は、「真夏日」、「平均的天候」、「冷夏」等が指定される。
【００３６】
この例では、ユーザが文例種別の選択操作を行うと、選択された文例種別に対応した文例のうち、時期に対応した文例が順に提示される。なお、第１候補としては、季語なしの標準文例が提示される。また、各天候に対応する文例は、ユーザが選択可能ようにされている。
なお、文例としては、例えば、本文の冒頭に挿入される挨拶文等が記憶される、
設定情報記憶領域２７ａ（２７ｂ，２７ｃ，…）は、選択されたフォーマル用文例（例えば、フラグＯＮ）か、プライベート用文例（例えば、フラグＯＦＦ）かの文例の種別を記憶する文例種別情報記憶領域２８ａ（２８ｂ，２８ｃ，…）を有している。
【００３７】
表示部１５ａ（１５ｂ，１５ｃ，…）は、液晶ディスプレイ等からなり、文字や画像を表示するために用いられ、例えば、通信管理センタ５を介して受け取った電子メールの内容や、メール作成画面、メールリスト、設定画面、メッセージ等を表示する。
操作部１６ａ（１６ｂ，１６ｃ，…）は、例えば、メーラを起動させるメールモード選択キー、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部１５ａ（１５ｂ，１５ｃ，…）に表示された表示画面上のカーソルを上下左右方向へ移動させるためのカーソルキーと、例えば数字等を入力するためのテンキー群とを有している。
【００３８】
通信管理センタ５は、図５に示すように、ユーザ情報等を管理する情報管理サーバ３１と、例えば携帯端末２ａ（２ｂ，２ｃ，…）から送信されてきた電子メールや携帯端末２ａ（２ｂ，２ｃ，…）へ送信された電子メールを蓄積し管理するメールサーバ３２と、移動通信網４を例えばインターネット６に接続するための接続処理サーバ３３とを有している。
【００３９】
情報管理サーバ３１（メールサーバ３２、接続処理サーバ３３）は、図６に示すように、ＣＰＵ等からなり、記憶部４４（４５，４６）に記憶された所定の制御プログラムに従って構成各部を制御する制御部４１（４２，４３）と、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、各種プログラムやデータが記憶される記憶部４４（４５，４６）と、所定のプロトコルに従ってデータ通信を行うための通信部４７（４８，４９）とを有している。
情報管理サーバ３１の記憶部４４には、各携帯端末２ａ（２ｂ，２ｃ，…）の現在位置情報や、各ユーザＡ（Ｂ，Ｃ，…）の加入者番号及び課金情報を含むユーザ情報等が常時更新された状態で記憶されている。
【００４０】
次に、図７乃至図９を参照して、上記構成の携帯端末の動作について説明する。
例として、携帯端末２ａから、他の携帯端末２ｂ（２ｃ，２ｄ，…）へ電子メールが送信される場合について説明する。
ユーザＡによって、新規メールの作成のために、操作部１６ａが操作され、メールソフトが起動されると（ステップＳＡ１１（図７））、制御部１１ａは、図８（ａ）に示すように、初期画面（宛先、件名、及び本文の入力画面）を表示部１５ａに表示させる。
【００４１】
この初期画面には、フォーマル用の電子メールを作成するか、又はプライベート用の電子メールを作成するを選択するための選択肢が表示される。
次に、初期画面において、ユーザＡによって、フォーマル又はプライベートの選択操作（カーソル操作及び決定操作）がなされると（ステップＳＡ１２）、フォーマル用か又はプライベート用かの文例種別情報を、文例種別情報記憶領域２８ａに記憶させると共に、本文入力の実行操作によって、初期画面から本文入力画面へ遷移させる（ステップＳＡ１３）。
【００４２】
ここで、制御部１１ａは、文例種別情報記憶領域２８ａから読み出した文例種別選択情報とに基づいて、文例情報記憶領域２６に記憶された文例から、所定の文例を抽出して、図８（ｂ）に示すように、第１候補文例として標準文例を表示部１５ａに表示させる（ステップＳＡ１４）。
【００４３】
例として、初期画面で「フォーマル」が選定され、時期が「７月」であった場合には、制御部１１ａは、、第１候補文例として、デフォルトで、標準文例の「時期指定なし」、「季語なし」の文例を本文に挿入して表示させる。
本文入力画面には、例えば上部に、現在表示中の文例の文例種別（フォーマル用かプライベート用か）と、標準／天候（季語有り）の別とが表示される。
また、本文入力画面の例えば下部には、表示中以外の他の文例の選択や、表示中の文例確定を行うためのソフトキーとしての前候補キー１５ｐ、次候補キー１５ｑ、及び確定キー１５ｒが表示される。
【００４４】
次に、ステップＳＡ１５で、制御部１１ａは、他候補の提示を求められたと判断すると、ステップＳＡ１６へ進み、これ以外の場合は、ステップＳＡ１７へ進む。
すなわち、ステップＳＡ１５で、制御部１１ａは、次候補キー１５ｑ若しくは前候補キー１５ｐが選択されたか、又は確定キー１５ｒが選択されたかを判断する。
【００４５】
ステップＳＡ１６で、制御部１１ａは、時計部１９ａから現在の（メール作成時の）時期（年月日）や時刻（時分秒）を含む時間情報を取得し、この時間情報と、文例種別選択情報とに基づいて、文例情報記憶領域２６に記憶された所定の文例を読み出し、他候補文例として、表示部１５ａに表示させる。
【００４６】
すなわち、制御部１１ａは、次候補キー１５ｑが選択された場合は、図８（ｃ）に示すように、候補ａ11の文例を表示部１５ａに表示させる。なお、最初に複数の候補から選択する場合には、前候補キー１５ｐは、無効とされる。前候補キー１５ｐや次候補キー１５ｑの選択操作によって、複数の候補が設定されている場合は、例えば、天候の暑い順（又は寒い順）に、文例が切り換ることとなる。
なお、初期画面で、文例種別（フォーマル用かプライベート用か）を選択するにに代えて、機能キー１５ｍの選択操作により、サブメニューを表示させ、このサブメニューで、文例種別を選択し、選択すると、本文入力画面に遷移するようにしても良い。
【００４７】
ステップＳＡ１７で、制御部１１ａは、確定キー１５ｒが選択操作されたか否かを判断する。制御部１１ａは、確定キー１５ｒが選択されたと判断すると、現在表示中の文例を、本文として確定し（ステップＳＡ１８）、確定キー１５ｒが選択操作されない場合は、ステップＳＡ１５へ戻る。
【００４８】
こうして、制御部１１ａは、選択操作に応じて（次候補キー１５ｑ又は前候補キー１５ｐの選択操作に応じて）、図９に示すように、候補文例を表示部１５ａに切替表示させる。
例えば、制御部１１ａは、次候補キー１５ｑの選択操作によって、候補ａ11（真夏日）→候補ａ12（真夏日）→候補ａ21（平均的天候）→候補ａ22（平均的天候）の順に切り換る。
制御部１１ａは、ステップＳＡ１５乃至ステップＳＡ１７の動作を、文例が確定するまで、繰り返し実行する。
【００４９】
このように、この例の構成によれば、略同一内容の文例を、フォーマル用と、プライベート用とに単純化して分類して記憶させたので、文例を迅速に検索して抽出し、通信相手等に依らず、簡単にかつ迅速に、しかも、適切な表現で、電子メールの本文を作成することができる。
【００５０】
ここで、電子メール作成時点での時期や天候に適合した文例を優先的に選択できるので、一段と適切な表現で、かつ、迅速に、電子メールの本文を作成することができる。
また、文例をフォーマル用と、プライベート用との２種類に単純化して分類して記憶させたので、従来技術におけるように、多種類の文例を用意する必要がないので、文例の記憶のための記憶容量を低減することができる。
【実施例２】
【００５１】
図１０は、この発明の第２の実施例である電子メールシステムの構成を示す図、図１１は、同電子メールシステムの文書情報提供サーバの構成を示す図、また、図１２は、同電子メールシステムの動作を説明するためのフローチャートである。
この例の構成が上述した第１の実施例の構成と大きく異なるところは、携帯端末から、ネットワークを介して、文例情報を蓄積した文書情報提供サーバにアクセスし、所望の文例を検索して取得するように構成した点である。
これ以外の構成は、上述した第１の実施例の構成と略同一であるので、第１の実施例と同一の構成要素については、図１０及び図１１において、図１で用いた符号と同一の符号を付して、その説明を簡略にする。
【００５２】
この例の電子メールシステム１Ａは、図１０及び図１１に示すように、ユーザＡ，Ｂ，…が用いる携帯電話機等の携帯端末２ａ，２ｂ，…が、文例情報を蓄積した文書情報提供サーバ５１にネットワーク３を介して、接続可能とされて概略構成されている。
文書情報提供サーバ５１は、図１１に示すように、所定の制御プログラムに従って構成各部を制御する制御部５２と、各種プログラムや情報が記憶される記憶部５３と、所定のプロトコルに従ってデータ通信を行うための通信部５４とを有してなっている。
【００５３】
制御部５２は、携帯端末２ａ（２ｂ，２ｃ，…）から、ネットワーク３を介して、文例情報の提示要求と文例種別情報とを受けると、現在（メール作成時）の天候情報を、天候情報記憶部５７から取得し、文例種別情報と、現在の作成日を含む時期と、天候情報とに対応した適切な文例を文例情報記憶部５６から検索して抽出し、文例候補として携帯端末２ａ（２ｂ，２ｃ，…）へ提示する。
また、制御部５２は、ネットワーク３を介して、天候情報提供サーバ（不図示）に、定期的にアクセスして、天候情報を取得し、天候情報を天候情報記憶部５７に記憶させる。
【００５４】
記憶部５３は、制御部５２が実行する各種制御プログラム等が記憶されたプログラム記憶部と、各種情報が記憶された情報記憶部とを有してなっている。
情報記憶部は、文例情報がデータベース化されて記憶されている文例情報記憶部５６と、天候情報がデータベース化されて記憶されている天候情報記憶部５７とを有している。
文例情報記憶部５６は、文例情報として、上述した携帯端末２ａ（２ｂ，２ｃ，…）の文例情報記憶領域２６（２６ｂ，２６ｃ，…）に記憶された文例情報と同様の情報を記憶している。文例情報は、文例種別、時期、天候に対応付けられて記憶されている。
【００５５】
また、天候情報記憶部５７は、天候情報を、常時更新された状態で記憶している。この例では、天候情報としては、日本全国の平均的な情報と、地域毎の情報とを含んでいる。例えば、原則として、平均的な情報に基づき、必要に応じて（ユーザからの要求があった場合等）、地域毎の情報に基づいて、文例情報が抽出されるようにしても良い。また、作成日のみでなく、作成日を含む数日間の平均的な気候に基づいても良い。
地域毎の情報に基づく場合には、携帯端末２ａ（２ｂ，２ｃ，…）において、文例種別（フォーマル用又はプライベート用）選択後に、プルダウンメニューによって、選択肢を表示させるようにしても良い。
【００５６】
次に、図１２を参照して、上記構成の電子メールシステム１Ａの動作について説明する。
例として、携帯端末２ａから、他の携帯端末２ｂ（２ｃ，２ｄ，…）へ電子メールが送信される場合について説明する。
ユーザＡによって、新規メールの作成のために、操作部１６ａが操作され、メールソフトが起動されると（ステップＳＢ１１（図１２））、制御部１１ａは、初期画面（宛先、件名、及び本文の入力画面）を表示部１５ａに表示させる。
【００５７】
この初期画面には、選択されたフォーマル用の電子メールを作成するか、又はプライベート用の電子メールを作成するを選択するための選択肢が表示される。
次に、初期画面において、ユーザＡによって、フォーマル又はプライベートの選択操作（カーソル操作及び決定操作）がなされると（ステップＳＢ１２）、制御部１１ａは、初期画面から本文入力画面へ遷移させる（ステップＳＢ１３）と共に、文書情報提供サーバ５１に対して、文例情報の提示要求を行う（ステップＳＢ１４）。
ここで、制御部１１ａは、文例情報の提示要求と共に、フォーマル用又はプライベート用かの文例種別情報を送信する。
【００５８】
文書情報提供サーバ５１では、携帯端末２ａから、文例情報の提示要求と文例種別情報とを受けると（ステップＳＢ１５）、制御部５２は、文例種別情報に対応した適切な文例を、文例情報記憶部５６から検索して抽出し（ステップＳＢ１６）、第１候補文例として標準文例（「時期指定なし」、「季語なし」の文例）、携帯端末２ａへ送信する（ステップＳＢ１７）。
【００５９】
携帯端末２ａでは、文書情報提供サーバ５１から標準文例を受信すると、制御部１１ａは、本文入力画面において標準文例を表示部１５ａに表示させる（ステップＳＢ１８）。
次に、ステップＳＢ１９で、制御部１１ａは、他候補の提示を求められたと判断すると、ステップＳＢ２０へ進み、これ以外の場合は、ステップＳＢ２７へ進む。
すなわち、ステップＳＢ１９で、制御部１１ａは、次候補キー１５ｑ若しくは前候補キー１５ｐが選択されたか、又は確定キー１５ｒが選択されたかを判断する。
【００６０】
ステップＳＢ２０で、制御部１１ａは、例えば、次候補キー１５ｑが選択された場合は、文書情報提供サーバ５１に対して、他文例情報の提示要求を行う。
文書情報提供サーバ５１では、携帯端末２ａから、他文例情報の提示要求を受けると（ステップＳＢ２１）、制御部５２は、現在（メール作成時）の天候情報を、天候情報記憶部５７から取得し、文例種別情報と、現在の作成日を含む時期と、天候情報とに対応した適切な文例を文例情報記憶部５６から検索して抽出し（ステップＳＢ２２）、文例候補として携帯端末２ａへ送信する（ステップＳＢ２３）。
【００６１】
この例では、制御部５２は、原則として複数の文例候補を携帯端末２ａへ送信する。例えば、メール作成日が、７月１５日で、真夏日であった場合には、候補ａ11（「酷暑の折柄、…」）と、候補ａ12（「猛暑の候、…」）とを送信する。
携帯端末２ａでは、文書情報提供サーバ５１から他文例候補を受信すると、制御部１１ａは、本文入力画面において他文例候補として、例えば、候補ａ11を、表示部１５ａに表示させる（ステップＳＢ２４）。
【００６２】
次に、ステップＳＢ２５で、制御部１１ａは、他候補の提示を求められたと判断すると、ステップＳＢ２６へ進み、これ以外の場合は、ステップＳＢ２７へ進む。
すなわち、ステップＳＢ２５で、制御部１１ａは、次候補キー１５ｑ若しくは前候補キー１５ｐが選択されたか、又は確定キー１５ｒが選択されたかを判断する。
【００６３】
ステップＳＢ２６で、制御部１１ａは、他候補文例として、例えば、候補ａ12を、表示部１５ａに表示させる。
次に、ステップＳＢ２７で、制御部１１ａは、確定キー１５ｒが選択操作されたか否かを判断する。制御部１１ａは、確定キー１５ｒが選択されたと判断すると、現在表示中の文例を、本文として確定し（ステップＳＢ２８）、確定キー１５ｒが選択操作されない場合は、ステップＳＢ２５へ戻る。
制御部１１ａは、ステップＳＢ２５乃至ステップＳＢ２７の動作を、文例が確定するまで、繰り返し実行する。
【００６４】
この例の構成によれば、上述した第１の実施例と略同様の効果を得ることができる。
加えて、文書提供サーバが天候情報を取得し、天候情報に対応した文例を抽出するので、迅速かつ、正確に文例を抽出することができ、ユーザの手間を一段と低減することができる。また、携帯端末の記憶容量を低減することができる。
【実施例３】
【００６５】
図１３は、この発明の第３の実施例である電子メールシステムの携帯端末の文例情報記憶領域の記憶内容を説明するための説明図である。
この例が上述した第１の実施例と大きく異なるところは、携帯端末は、入力された文字から変換候補を提示する予測変換処理を行い、予め設定された優先時間情報と、上記現在の時間情報とに基づいて、変換候補の提示順を変更するように構成した点である。
これ以外の構成は、上述した第１の実施例の構成と略同一であるので、その説明を簡略する。
【００６６】
この例の携帯端末では、制御部は、文字入力における予測変換の候補を、優先時間及び優先日で管理する。
例えば、「あ」と入力された場合には、従来技術では、制御部は、辞書データから抽出した「ありがとう」、「朝」、「明けましておめでとう」等のワードを、変換候補として、使用頻度順に表示部に表示させたのに対して、この例では、変換候補としての単語に、優先時間又は／及び優先日が対応付けられている場合には、制御部（メール送信時期予測手段、文例抽出手段、天候情報取得手段、予測変換手段）は、使用頻度よりも優先時間や優先日が指定された単語を優先させて、表示部に表示させる。
例えば、メール作成日が、１月１日の場合は、「明けましておめでとう」が最優先の変換候補として表示され、メール作成時が、朝７時の場合は、「朝」が最優先の変換候補として表示される。
【００６７】
この携帯端末の記憶部の情報記憶部は、辞書データ記憶領域を有し、この辞書データ記憶領域は、予測変換候補データ記憶領域６１ａ（６１ｂ，６１ｃ，…）を含んでいる。予測変換候補データ記憶領域６１ａ（６１ｂ，６１ｃ，…）には、図１３に示すように、予測変換候補データが、使用頻度、優先日、及び優先時間が対応付けられて記憶されている。
【００６８】
この例の構成によれば、上述した第１の実施例と略同様の効果を得ることができる。
加えて、優先日や優先時間を予め設定しておくことによって、日時や時間に合わせて、予測変換の優先順位が適宜変更されるので、キーの操作回数が削減されて、入力の手間が軽減され、電子メール作成に要する労力を一段と低減することができる。
【実施例４】
【００６９】
この例が上述した第１の実施例と大きく異なるところは、送信指示操作時刻が作成時刻から所定時間以上経過している場合に、予め作成された電子メールに含まれる時期や天候に関連した単語が、現在の時期や天候に適合しているか否か判定する適否判定処理を行い、適合していないと判定されると、警告メッセージを表示させるように構成した点である。
これ以外の構成は、上述した第１の実施例の構成と略同一であるので、その説明を簡略する。
【００７０】
この例の携帯端末では、制御部（メール送信時期予測手段、文例抽出手段、天候情報取得手段）は、電子メール作成処理では、第１の実施例で述べた通常の作成処理（文型選択処理、時間情報取得処理、文型選択情報取得処理、文例抽出処理、及び確定処理）に加えて、判定基準時間設定処理と、経過時間判定処理と、適否判定処理と、警報出力処理と、本文訂正処理とを実行する。
【００７１】
制御部は、判定基準時間設定処理では、メール作成時刻から送信指示操作時刻までの経過時間の適否を判定するための判定基準時間を設定する。
制御部は、経過時間判定処理では、電子メールの送信指示操作時に、メール作成時刻から送信指示操作時刻までの経過時間が、上記判定基準時間を越えたか否か判定する。
【００７２】
制御部は、適否判定処理では、経過時間が判定基準時間を越えたと判定された場合に、電子メールの本文に含まれる時期や天候に関連した単語が、現在の時期や天候に適合しているか否か判定する。
制御部は、警報出力処理では、非適合と判定された場合に、表示部に警告メッセージ及び訂正案内メッセージを表示させる。
制御部は、本文訂正処理では、訂正要求があった場合に、本文入力画面を表示させて再入力を受け付ける。
【００７３】
この例の構成によれば、上述した第１の実施例と略同様の効果を得ることができる。
加えて、メール作成時刻から相当時間経過している場合でも、不適切な内容の電子メールを誤って送信することを回避することができる。
【実施例５】
【００７４】
この例が上述した第１の実施例と大きく異なるところは、本文を、所定の送信時刻に送信することを予定して、予め作成すると共に、天気予報に基づいて天候情報を予測して、文例を選択して電子メールを作成するように構成した点である。
これ以外の構成は、上述した第１の実施例の構成と略同一であるので、その説明を簡略する。
【００７５】
この例の携帯端末では、制御部（メール送信時期予測手段、文例抽出手段、天候情報取得手段）は、電子メール作成処理では、第１の実施例で述べた通常の作成処理（文型選択処理、時間情報取得処理、文型選択情報取得処理、文例抽出処理、及び確定処理）に加えて、電子メールを送信する送信予定時（日時及び時刻）を設定する予定時設定処理と、送信予定時が設定された場合に、気象予報情報提供サーバからネットワークを介して気象予報情報を取得する予報情報取得処理とを実行する。
【００７６】
また、制御部は、文例抽出処理では、操作部を介して、送信予定時が設定された場合には、文例種別選択情報、送信予定時情報、気象予報情報及び操作部によって入力された操作情報に基づいて、文例情報記憶領域に記憶された文例から所定の文例を抽出して、表示部に表示させる。
【００７７】
この例の構成によれば、上述した第１の実施例と略同様の効果を得ることができる。
加えて、送信予定の電子メールを、ユーザが余裕のあるときに作成しておくことができる。
【００７８】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、ネットワークとして、移動通信網を用いて、この移動通信網を経由して、電子メールの送受信を行う場合について述べたが、もちろん、固定網を含めた場合にも、また、固定網のみの場合にも適用できるし、インターネットに接続する場合にも、接続しない場合にも適用できる。また、公衆回線に限らず、専用回線を含む場合にも適用できる。
また、文例情報記憶領域に記憶される文例は、冒頭の挨拶文に限らず、一般に、例えば、季語を含む文、語句であっても良い。
【００７９】
また、第１の実施例で、確定キーの選択操作に代えて（又は加えて）、文例を表示中に、例えば、テンキーによって文字入力操作を開始した時点で、確定と見なすようにしても良い。
また、第１の実施例で、送信先情報（メールアドレス）に応じて、フォーマル用又はプライベート用の文例を自動的に本文に挿入しても良い。
また、第１の実施例で、制御部は、文例データを、抽出して提示した後、ユーザの入力操作に基づいて、本文を編集するようにしても良い。
【００８０】
また、文例データは、ユーザが作成して追加しても良い。また、文例は、日本語に限らず、英語等の外国語で表記されたものであっても良い。
また、第１の実施例で、複数の文例（それぞれ、少なくとも一部）をまとめて表示させて、ユーザによって選択させるようにしても良いし、自動的に現在の時期に適合した文例を表示させるのに加えて、ユーザの要求に応じて、異なる時期の文例を表示させるようにしても良い。
【００８１】
また、第２の実施例で、文書情報提供サーバから所望の文例を取得するのみとして、携帯端末の文例提示機能を廃しても良い。また、文書情報提供サーバ側が１文例毎に提示しても良いし、携帯端末が、複数の文例を一括してダウンロードしても良い。また、本文入力画面を、操作キーによって、循環的に切り替えるようにしても良い。
【００８２】
また、第２の実施例で、天候情報を取得する場合について述べたが、風向風速計、気圧計、温度計、湿度計等を有する気象観測装置に接続し、計測情報を、天候情報として取得しても良い。また、天候情報として、日本全国の平均的な情報と、地域毎の情報とのいずれかを記憶するようにしても良い。
【００８３】
また、第４の実施例で、近い未来に送信する電子メールの案文を、例えば、天気予報に基づいて、予め作成するようにしても良い。
また、第５の実施例で、作成時だけでなく、数日間の天候の移変りに基づいて、メールの案文を作成するようにしても良い。また、同一の相手先への送信内容の履歴を参照しても良い。
【産業上の利用可能性】
【００８４】
携帯端末としては、携帯電話機のほか、データ通信機能を有する簡易型携帯電話（ＰＨＳ）端末や、携帯情報端末（ＰＤＡ）、携帯型のコンピュータを用いる場合に適用できる。
【図面の簡単な説明】
【００８５】
【図１】この発明の第１の実施例である電子メールシステムの構成を示す図である。
【図２】同電子メールシステムの携帯端末の構成を示すブロック図である。
【図３】同携帯端末の記憶部の構成を示すブロック図である。
【図４】同記憶部の文例情報記憶領域の記憶内容を説明するための説明図である。
【図５】同電子メールシステムの通信管理センタの構成を示すブロック図である。
【図６】同通信管理センタの情報管理サーバ、メールサーバ及び接続処理サーバの構成を示すブロック図である。
【図７】同携帯端末の動作を説明するためのフローチャートである。
【図８】同携帯端末の動作を説明するための説明図である。
【図９】同携帯端末の動作を説明するための説明図である。
【図１０】この発明の第２の実施例である電子メールシステムの構成を示す図である。
【図１１】同電子メールシステムの文書情報提供サーバの構成を示す図である。
【図１２】同電子メールシステムの動作を説明するためのフローチャートである。
【図１３】この発明の第３の実施例である電子メールシステムの携帯端末の文例情報記憶領域の記憶内容を説明するための説明図である。
【符号の説明】
【００８６】
１，１Ａ      電子メールシステム
２ａ，２ｂ，…        携帯端末（携帯通信端末）
３      移動通信網（ネットワーク）
１１ａ，１１ｂ，…      制御部（メール送信時期予測手段、文例抽出手段、天候情報取得手段）
１２ａ，１２ｂ，…      記憶部（文例格納部）
１６ａ，１６ｂ，…      操作部（指定手段）
２６ａ，２６ｂ，…      文例情報記憶領域
５１      文書情報提供サーバ
【図１】
2008123381.tif 000003
【図２】
2008123381.tif 000004
【図３】
2008123381.tif 000005
【図４】
2008123381.tif 000006
【図５】
2008123381.tif 000007
【図６】
2008123381.tif 000008
【図７】
2008123381.tif 000009
【図８】
2008123381.tif 000010
【図９】
2008123381.tif 000011
【図１０】
2008123381.tif 000012
【図１１】
2008123381.tif 000013
【図１２】
2008123381.tif 000014
【図１３】
2008123381.tif 000015